(57)【要約】【課題】  バンドパスフィルタを使用する簡易な構成でハウリングを防止するハンズフリーインターホン装置を提供する。【解決手段】  子機マイク１１で集音されて親機スピーカ２１から報音されるまでの受話音声伝送路Ｌ１ａの途中に第１のマルチバンドパスフィルタを構成する第１ＤＳＰ２５を備えると共に、親機マイク２３で集音されて子機スピーカ１３から報音されるまでの送話音声伝送路Ｌ１ｂの途中に第２のマルチバンドパスフィルタを構成する第２ＤＳＰ２６を備え、第１及び第２ＤＳＰ２５，２６は、共に周波数軸上で１０箇所の異なる周波数帯の音声信号を櫛刃状に通過させるバンドパスフィルタを備え、且つ周波数軸上で第１及び第２ＤＳＰ２５，２６の個々のバンドパスフィルタは重なる通過帯域がなく且つ交互に配置されて成る。【選択図】  図１
2017163418.tif 000002
【特許請求の範囲】
【請求項１】
子機マイク及び子機スピーカを備えて居住者を呼び出すための玄関子機と、親機マイク及び親機スピーカを備えて前記玄関子機からの呼び出しに応答するための居室親機とを有し、前記居室親機はハンズフリーで通話できるハンズフリーインターホン装置であって、
前記子機マイクで集音されて前記親機スピーカから報音されるまでの受話音声伝送路の途中に第１のマルチバンドパスフィルタを備えると共に、前記親機マイクで集音されて前記子機スピーカから報音されるまでの送話音声伝送路の途中に第２のマルチバンドパスフィルタを備え、
前記第１及び第２のマルチバンドパスフィルタは、共に周波数軸上で少なくとも５箇所の異なる周波数帯の音声信号を通過させる複数のバンドパスフィルタを備え、且つ周波数軸上で前記第１及び第２のマルチバンドパスフィルタの個々のバンドパスフィルタは重なる通過帯域がなく且つ交互に配置されて成ることを特徴とするハンズフリーインターホン装置。
【請求項２】
前記第１及び第２のマルチバンドパスフィルタは、５００Ｈｚ〜５０００Ｈｚの間に少なくとも４個のバンドパスフィルタが配置されてなることを特徴とする請求項１記載のハンズフリーインターホン装置。
【発明の詳細な説明】
【技術分野】
【０００１】
本発明は、来訪者が居住者を呼び出して通話を実施できるインターホン装置に関し、特にハンドセットを使用せずハンズフリーで同時通話を実施できるハンズフリーインターホン装置に関する。
【背景技術】
【０００２】
従来より、ハンドセットを使用せずに来訪者と通話できるハンズフリーインターホン装置が普及している。このようなハンズフリーインターホン装置の場合、同時通話を可能とするためにはハウリングを防止するためにエコーキャンセラ回路を必要とした。
例えば、特許文献１では、居室親機にエコーキャンセラ回路を設け、居室親機のスピーカから報音され音声をマイクが拾ってもキャンセルして居住者音声のみが伝送されるよう構成されている。
【先行技術文献】
【特許文献】
【０００３】
【特許文献１】特開２００５−３０３９３１号公報
【発明の概要】
【発明が解決しようとする課題】
【０００４】
上記従来のハンズフリーインターホン装置は、エコーキャンセラ回路を内蔵することで、同時通話する場合でもハウリングの発生を防止できた。しかしながら、エコーキャンセラ回路は音声の戻りを打ち消すためにパラメータの設定や複雑な演算処理が必要であった。
【０００５】
そこで、本発明はこのような問題点に鑑み、バンドパスフィルタを使用する簡易な構成でハウリングを防止するハンズフリーインターホン装置を提供することを目的としている。
【課題を解決するための手段】
【０００６】
上記課題を解決する為に、請求項１の発明は、子機マイク及び子機スピーカを備えて居住者を呼び出すための玄関子機と、親機マイク及び親機スピーカを備えて玄関子機からの呼び出しに応答するための居室親機とを有し、居室親機はハンズフリーで通話できるハンズフリーインターホン装置であって、子機マイクで集音されて親機スピーカから報音されるまでの受話音声伝送路の途中に第１のマルチバンドパスフィルタを備えると共に、親機マイクで集音されて子機スピーカから報音されるまでの送話音声伝送路の途中に第２のマルチバンドパスフィルタを備え、第１及び第２のマルチバンドパスフィルタは、共に周波数軸上で少なくとも５箇所の異なる周波数帯の音声信号を通過させる複数のバンドパスフィルタを備え、且つ周波数軸上で第１及び第２のマルチバンドパスフィルタの個々のバンドパスフィルタは重なる通過帯域がなく且つ交互に配置されて成ることを特徴とする。
この構成によれば、玄関子機から報音される居住者の音声である送話音声が子機マイクに回り込んでも、受話音声伝送路に備えられた第１のマルチバンドパスフィルタによりカットされるため、親機スピーカから居住者自身の音声が報音されることがない。また、居室親機から報音される来訪者の音声である受話音声が親機マイクに回り込んでも、送話音声伝送路に備えられた第２のマルチバンドパスフィルタによりカットされるため、子機スピーカから来訪者自身の音声が報音されることがない。よって、ハウリングの発生を確実に防止できる。
【０００７】
請求項２の発明は、請求項１に記載の構成において、第１及び第２のマルチバンドパスフィルタは、５００Ｈｚ〜５０００Ｈｚの間に少なくとも４個のバンドパスフィルタが配置されてなることを特徴とする。
この構成によれば、音声周波数の主要部に少なくとも４個のバンドパスフィルタを配置することで、少ない数のバンドパスフィルタでハウリングを防止できる。
【発明の効果】
【０００８】
本発明によれば、玄関子機から報音される居住者の音声である送話音声が子機マイクに回り込んでも、受話音声伝送路に備えられた第１のマルチバンドパスフィルタによりカットされるため、親機スピーカから居住者自身の音声が報音されることがない。また、居室親機から報音される来訪者の音声である受話音声が親機マイクに回り込んでも、送話音声伝送路に備えられた第２のマルチバンドパスフィルタによりカットされるため、子機スピーカから来訪者自身の音声が報音されることがない。よって、ハウリングの発生を確実に防止できる。
【図面の簡単な説明】
【０００９】
【図１】本発明に係るハンズフリーインターホン装置の一例を示す概略構成図である。
【図２】マルチバンドパスフィルタの特性説明図であり、（ａ）は第１のバンドパスフィルタの特性、（ｂ）は第２のバンドパスフィルタの特性を示している。
【発明を実施するための形態】
【００１０】
以下、本発明を具体化した実施の形態を、図面を参照して詳細に説明する。図１は本発明に係るハンズフリーインターホン装置の一例を示す概略構成図であり、１は玄関等の戸外に設置されて居住者を呼び出すための玄関子機、２は住戸内に設置されて玄関子機１からの呼び出しに居住者が応答するための居室親機であり、両者は伝送線Ｌ１で接続されている。
【００１１】
玄関子機１は、来訪者の音声を集音する子機マイク１１、子機マイク１１が出力する受話音声信号を増幅する子機マイクアンプ１２、居住者の音声である送話音声を報音する子機スピーカ１３、送話音声を増幅する子機スピーカアンプ１４等を有している。尚、他に呼出操作する呼出ボタンを有しているが省略してある。
【００１２】
居室親機２は、訪問者の音声である受話音声を報音する親機スピーカ２１、親機スピーカ２１で報音する為に受話音声を増幅する親機スピーカアンプ２２、居住者の音声を集音する親機マイク２３、親機マイク２３が出力する送話音声信号を増幅する親機マイクアンプ２４、受話音声信号のうち特定の複数の周波数帯の音声信号のみ通過させる第１のマルチバンドパスフィルタを構成する第１ＤＳＰ２５、送話音声信号のうち特定の複数の周波数帯の音声信号のみ通過させる第２のマルチバンドパスフィルタを構成する第２ＤＳＰ２６等を備えている。尚、他に玄関子機１からの呼び出しに応答操作するための通話ボタンを有しているが省略してある。
また、子機マイク１１から親機スピーカ２１間での音声信号伝送路Ｌ１ａが受話音声伝送路を構成し、親機マイク２３から子機スピーカ１３までの音声信号伝送路Ｌ１ｂが送話音声伝送路を構成している。  
【００１３】
第１ＤＳＰ２５は、Ａ／Ｄ変換するＡＤＣ部２５ａ、Ｄ／Ａ変換するＤＡＣ部２５ｂ、第１のマルチバンドパスフィルタのフィルタ処理を演算により実施する信号演算処理部２５ｃ等を備え、所定のプログラムがインストールされている。また、第１ＤＳＰ２６も同様に、Ａ／Ｄ変換するＡＤＣ部２６ａ、Ｄ／Ａ変換するＤＡＣ部２６ｂ、第２のマルチバンドパスフィルタのフィルタ処理を演算により実施する信号演算処理部２６ｃ等を備え、所定のプログラムがインストールされている
【００１４】
図２（ａ）は第１ＤＳＰ２５で構成される第１のマルチバンドパスフィルタの特性、図２（ｂ）は第２ＤＳＰ２６で構成される第２のマルチバンドパスフィルタの特性を示している。第１ＤＳＰ２５及び第２ＤＳＰ２６は、図２に示すように１００Ｈｚ〜１０ｋＨｚの間の周波数帯に１０個のバンドパスフィルタ（第１〜第１０バンドパスフィルタ）をそれぞれ配置して１０分割した１０個の分割エリアを形成し、櫛刃状にそれぞれ１０個の通過帯域を設けている。
【００１５】
但し、通過周波数帯と隣接する遮断周波数帯のバンド幅がほぼ均等になるよう配置され、且つ高周波になるほどバンド幅を広くして対数軸上で均等な幅になるよう構成されている。具体的に、第１ＤＳＰ２５の１００Ｈｚから１６０Ｈｚの第１の分割エリアの通過周波数帯幅は図２に示すように２５Ｈｚであるが、６３００Ｈｚから１００００Ｈｚの第１０分割エリアの通過周波数帯幅は１７００Ｈｚとなっている。
一方、第２ＤＳＰ２６の１００Ｈｚから１６０Ｈｚの第１の分割エリアの通過周波数帯幅は３５Ｈｚであるが、６３００Ｈｚから１００００Ｈｚの第１０分割エリアの通過周波数帯幅は２０００Ｈｚとなっている。
そして、周波数軸上で交互に配置されて櫛刃状に形成され、第１ＤＳＰ２５と第２ＤＳＰ２６の通過帯域が互いに噛み合って隙間を補うよう形成されている。
【００１６】
このように構成された第１ＤＳＰ２５を受話音声伝送路Ｌ１ａ上に配置し、第２ＤＳＰ２６を送話音声伝送路Ｌ１ｂ上に配置することで、親機スピーカ２１及び子機スピーカ１３から報音される音声周波数は櫛刃状に欠けた周波数を有する音声信号となるが、可聴周波数帯全体では大きくカットされた周波数帯はないため、多少違和感のある音色になったとしても、文言を無理なく把握でき通話がぎこちなくなるようなことはない。
【００１７】
そして、第１ＤＳＰ２５でカットされる周波数帯（遮断周波数帯）は、子機スピーカ１３から報音される音声信号の周波数帯を全て含むため、子機スピーカ１３から子機マイク１１に回り込む音声信号のほぼ全てがカットされる。そのため、居室親機２においてハウリングが発生する音声信号が存在しない。また、第２ＤＳＰ２６でカットされる周波数帯は、親機スピーカ２１から報音される音声信号の周波数帯を全て含むため、親機スピーカ２１から親機マイク２３に回り込む音声信号のほぼ全てがカットされる。そのため、玄関子機１においてハウリングが発生する音声信号が存在しない。
【００１８】
このように、玄関子機１から報音される居住者の音声である送話音声が子機マイク１１に回り込んでも、受話音声伝送路Ｌ１ａに備えられた第１ＤＳＰ２５から成る第１のマルチバンドパスフィルタによりカットされるため、親機スピーカ２１から居住者自身の音声が報音されることがない。また、居室親機２から報音される来訪者の音声である受話音声が親機マイク２３に回り込んでも、送話音声伝送路Ｌ１ｂに備えられた第２ＤＳＰ２６から成る第２のマルチバンドパスフィルタによりカットされるため、子機スピーカ１３から来訪者自身の音声が報音されることがない。よって、ハウリングの発生を確実に防止できる。
更に、音声周波数の主要部である５００Ｈｚ〜５ｋＨｚの間に略５個のバンドパスフィルタを配置することで、少ない数のバンドパスフィルタで効果的にハウリングを防止できる。
【００１９】
尚、上記実施形態では、１００Ｈｚ〜１０ｋＨｚの間の周波数帯を１０分割し、それぞれに対応するバンドパスフィルタを設けて通過周波数帯と遮断周波数帯を形成しているが、フィルタの数はこの数に限定するものではなく、少なくとも５分割してバンドパスフィルタを５個ずつ設けても聞き取り可能な音声の報音が可能である。特に、送話／受話の双方の伝送路において音声の中心周波数である５００Ｈｚ〜５０００Ｈｚの間（図２に示す区間Ｂ１）に４個のバンドパスフィルタを配置するだけでも、聞き取りは可能である。
また、ＤＳＰ２５，２６を居室親機２に設けて受話及び送話音声の信号処理をしているが、玄関子機１にＤＳＰ２５，２６を設けることも可能である。
更に、受話音声伝送路Ｌ１ａ、送話音声伝送路Ｌ１ｂのそれぞれにＤＳＰ（第１ＤＳＰ２５，第２ＤＳＰ２６）を設けているが、ＤＳＰの規模によっては１つのＤＳＰで２つの音声信号を処理、即ち受話音声及び送話音声に対応することも可能である。
【符号の説明】
【００２０】
１・・玄関子機、２・・居室親機、１１・・子機マイク、１３・・子機スピーカ、２１・・親機スピーカ、２３・・親機マイク、２５・・第１ＤＳＰ（第１のマルチバンドパスフィルタ）、２６・・第２ＤＳＰ（第２のマルチバンドパスフィルタ）、Ｌ１ａ・・受話音声伝送路、Ｌ１ｂ・・送話音声伝送路。
【図１】
2017163418.tif 000003
【図２】
2017163418.tif 000004